(57)【要約】【課題】主基板のメンテナンスが容易となり、不正行為を防止するのに好適な投影型遊技機を提供する。【解決手段】パチンコ機１は、投影光を透過させることにより投影画面を表示可能なスクリーン１０と、パチンコ遊技画面を投影する液晶プロジェクタ２０と、液晶プロジェクタ２０からの投影光の光路上であってスクリーン１０の前面側に設けた透光性のフレネルレンズ１２と、液晶プロジェクタ２０からの投影光の光路上であってフレネルレンズ１２の前面側に設けた透光性の遊技盤１４と、液晶プロジェクタ２０からの投影光をスクリーン１０の裏面に向けて反射させるリフレクタ１６と、遊技制御を行う主基板２００とを備え、主基板２００を、リフレクタ１６の面のうち液晶プロジェクタ２０からの投影光を反射する反射面とは反対の面に設置するようにした。【選択図】　図１
2004073500.tif 000002
【特許請求の範囲】
【請求項１】
投影光を透過させることにより投影画面を表示可能なスクリーンと、遊技画面を投影する投影手段と、前記スクリーンの裏面側に設け且つ前記投影手段からの投影光を前記スクリーンの裏面に向けて反射させる反射手段と、遊技制御を行う遊技制御基板とを備え、前記スクリーンに前記遊技画面を表示して遊技を行う遊技機であって、
前記遊技制御基板を、前記反射手段の面のうち前記投影手段からの投影光を反射する反射面とは反対の面に設置したことを特徴とする投影型遊技機。
【請求項２】
請求項１において、
前記反射手段は、前記投影手段からの投影光を反射するための反射板と、前記遊技制御基板を設置するための設置板とからなり、
前記反射板と前記設置板との間にギャップを設けて前記反射板及び前記設置板を結合したことを特徴とする投影型遊技機。
【請求項３】
請求項２において、
前記遊技制御基板を、前記設置板のうち前記反射板と対向する面とは反対の面に設置したことを特徴とする投影型遊技機。
【請求項４】
請求項１乃至３のいずれかにおいて、
さらに、前記投影手段からの投影光の光路上であって前記スクリーンの前面側に設けた透光性の遊技盤と、前記遊技盤面に設けた特定入賞口を備え、
前記遊技制御基板は、前記遊技盤面に発射された遊技球が前記特定入賞口に入賞したときは、図柄表示画面を前記遊技画面の一部として表示して前記図柄表示画面で図柄を変動表示するとともに、所定の遊技状態を生起させるか否かの抽選を行い、前記抽選結果に基づいて前記変動図柄を所定の態様で停止させ前記所定の遊技状態を生起させるようになっていることを特徴とする投影型遊技機。
【発明の詳細な説明】
【０００１】
【発明の属する技術分野】
本発明は、プロジェクタ等の投影装置により投影される遊技画面をスクリーンに表示して遊技を行う遊技機に係り、特に、主基板のメンテナンスが容易となり、不正行為を防止するのに好適な投影型遊技機に関する。
【０００２】
【従来の技術】
従来、プロジェクタ等の投影装置により投影される遊技画面をスクリーンに表示して遊技を行う投影型遊技機としては、例えば、実開平７−２４３８１号公報に開示されているゲーム機があった。
このゲーム機は、ゲーム機フロントパネルと、液晶表示装置を有する投影機と、液晶表示装置の液晶表示素子を介して放射される光画像を拡大する投影レンズと、ゲーム機フロントパネルに形成される透光性光画像表示部とを備え、ゲーム機フロントパネルを、画像を表示することができる材料により構成している。
【０００３】
これにより、液晶表示装置の液晶表示素子のサイズを小さいまま変更することなしに透光性光画像表示部のサイズを変更設定することができる。そして、小さいサイズの液晶表示素子の光画像を投影レンズにより拡大投影して大画面の表示をすることができるので、大型の液晶表示素子を使用することに起因するゲーム機製造コストの大幅上昇を抑えることができる。
【０００４】
【発明が解決しようとする課題】
上記従来のゲーム機のような投影型遊技機にあっては、ゲーム機の遊技制御を行う主基板の配置が問題となる。すなわち、上記従来のゲーム機をパチンコ機に適用した場合には、パチンコホール等において主基板を交換・点検する必要があり、また、主基板に対して不正行為が行われる可能性がある。したがって、主基板を配置するにあたっては、主基板のメンテナンスを容易に行えることおよび主基板に対する不正行為を防止することを考慮しなければならない。
【０００５】
そこで、本発明は、このような従来の技術の有する未解決の課題に着目してなされたものであって、主基板のメンテナンスが容易となり、不正行為を防止するのに好適な投影型遊技機を提供することを目的としている。
【０００６】
【課題を解決するための手段】
上記目的を達成するために、本発明に係る請求項１記載の投影型遊技機は、投影光を透過させることにより投影画面を表示可能なスクリーンと、遊技画面を投影する投影手段と、前記スクリーンの裏面側に設けかつ前記投影手段からの投影光を前記スクリーンの裏面に向けて反射させる反射手段と、遊技制御を行う遊技制御基板とを備え、前記スクリーンに前記遊技画面を表示して遊技を行う遊技機であって、前記遊技制御基板を、前記反射手段の面のうち前記投影手段からの投影光を反射する反射面とは反対の面に設置した。
【０００７】
このような構成であれば、投影手段からの投影光が反射手段に照射されると、反射手段により、その投影光がスクリーンの裏面に向けて反射する。そして、スクリーンの裏面に投影光が照射されると、照射された投影光がスクリーンを透過することにより投影画面がスクリーンに表示される。このようにして、投影手段によりスクリーンに遊技画面が表示され、遊技が行われる。遊技状態においては、遊技制御基板により遊技制御が行われる。
【０００８】
このとき、反射手段の面のうち投影手段からの投影光を反射する反射面とは反対の面に遊技制御基板が設置されているので、遊技機の背面側から遊技制御基板をメンテナンスすることができ、遊技制御基板に対する不正行為も困難となる。さらに、本発明に係る請求項２記載の投影型遊技機は、請求項１記載の投影型遊技機において、前記反射手段は、前記投影手段からの投影光を反射するための反射板と、前記遊技制御基板を設置するための設置板とからなり、前記反射板と前記設置板との間にギャップを設けて前記反射板および前記設置板を結合した。
【０００９】
このような構成であれば、反射板と設置板との間にギャップが設けられているので、反射板およびギャップにより投影手段の発熱がある程度遮られる。また、設置板およびギャップにより遊技制御基板の放熱が効果的に行われる。さらに、遊技制御基板を反射手段にネジ止め等する場合は、設置板に対してネジ止め等を行うので、反射板の反射面にネジの先端等が突出し、ネジの先端等が投影画面である遊技画面上で影として映し出されるのを防止することができる。
【００１０】
ここで、遊技制御基板は、設置板に設けられていればいかなる箇所であってもよく、例えば、設置板のうち反射板と対向する面に設置してもよいし、設置板のうち反射板と対向する面とは反対の面に設置してもよい。
さらに、本発明に係る請求項３記載の投影型遊技機は、請求項２記載の投影型遊技機において、前記遊技制御基板を、前記設置板のうち前記反射板と対向する面とは反対の面に設置した。
【００１１】
このような構成であれば、設置板のうち反射板と対向する面とは反対の面に遊技制御基板が設置されているので、反射板、ギャップおよび設置板により投影手段の発熱がさらに遮られる。また、遊技制御基板をギャップ内からではなく外側から設置するので、遊技制御基板の設置が比較的容易となる。
さらに、本発明に係る請求項４記載の投影型遊技機は、請求項１ないし３のいずれかに記載の投影型遊技機において、さらに、前記投影手段からの投影光の光路上であって前記スクリーンの前面側に設けた透光性の遊技盤と、前記遊技盤面に設けた特定入賞口を備え、前記遊技制御基板は、前記遊技盤面に発射された遊技球が前記特定入賞口に入賞したときは、図柄表示画面を前記遊技画面の一部として表示して前記図柄表示画面で図柄を変動表示するとともに、所定の遊技状態を生起させるか否かの抽選を行い、前記抽選結果に基づいて前記変動図柄を所定の態様で停止させ前記所定の遊技状態を生起させるようになっている。
【００１２】
このような構成であれば、遊技者は、遊技盤面に遊技球を発射することにより遊技を行うことができる。
遊技状態においては、遊技盤面に発射された遊技球が特定入賞口に入賞すると、遊技制御基板により、図柄表示画面が遊技画面の一部として表示されて図柄表示画面で図柄が変動表示するとともに、所定の遊技状態を生起させるか否かの抽選が行われる。そして、抽選結果に基づいて変動図柄が所定の態様で停止し所定の遊技状態が生起する。
【００１３】
ここで、特定入賞口とは、遊技球を入賞または通過させるために遊技盤面に設けられる孔またはゲートのことをいい、例えば、入賞口または作動ゲート等がこれに該当する。したがって、入賞には、単に入賞だけでなく通過も含まれる。
また、所定の遊技状態は、どのようなものであってもよいが、これには、例えば、遊技者に有利な遊技状態である特賞状態や、特賞状態が生起しやすい遊技状態である確率変動状態が挙げられる。
【００１４】
【発明の実施の形態】
以下、本発明の実施の形態を図面を参照しながら説明する。図１ないし図３は、本発明に係る投影型遊技機の実施の形態を示す図である。
本実施の形態は、図１に示すように、本発明に係る投影型遊技機をパチンコ機１に適用したものである。
【００１５】
まず、パチンコ機１の構成を図１および図２を参照しながら説明する。図１は、パチンコ機１の垂直方向の断面図である。図２は、パチンコ機１の斜視図である。
パチンコ機１は、図１および図２に示すように、投影光を透過させることにより投影画面を表示可能なスクリーン１０と、パチンコ遊技画面を投影する液晶プロジェクタ２０と、液晶プロジェクタ２０からの投影光の光路上であってスクリーン１０の前面側に設けた透光性のフレネルレンズ１２と、液晶プロジェクタ２０からの投影光の光路上であってフレネルレンズ１２の前面側に設けた透光性の遊技盤１４と、液晶プロジェクタ２０からの投影光をスクリーン１０の裏面に向けて反射させるリフレクタ１６とを有して構成されている。
【００１６】
フレネルレンズ１２およびスクリーン１０は、一体として構成され、遊技盤１４の裏面に設けられた取付部材２によって遊技盤１４に固定される。そして、遊技盤１４、フレネルレンズ１２およびスクリーン１０は、遊技者からみて遊技盤１４が最前面にくるように遊技筐体３に収納される。遊技筐体３は、遊技台４上に設置されており、遊技筐体３の前面側には、ガラス等の透明部材で前面を覆った前枠部５が開閉可能に取り付けられているとともに、発射ハンドル６が設けられている。発射ハンドル６は、遊技者が遊技球の発射操作のために用いるものであり、遊技者が発射ハンドル６を操作したときは、発射装置（不図示）により、受け皿（不図示）に貯留されている遊技球を遊技盤面１４に発射するようになっている。
【００１７】
液晶プロジェクタ２０は、小型液晶パネル２１を内蔵し、小型液晶パネル２１に映し出した図柄等のパチンコ遊技画面を内部のレンズ２２で拡大して投影するようになっている。また、液晶プロジェクタ２０は、遊技台４の裏面側に設けられた台座７上に設置されており、台座７は、液晶プロジェクタ２０からの投影光がリフレクタ１６に照射されるようにその角度が調整されている。
【００１８】
リフレクタ１６は、スクリーン１０の裏面側に設けられており、液晶プロジェクタ２０からの投影光をスクリーン１０の裏面に向けて反射させるようにその角度が調整されている。なお、リフレクタ１６としては、平面鏡を使用しても良いが、反射面が縦方向または横方向に湾曲した凸面状のものを使用すれば、さらに投影光を拡大することができる。
【００１９】
また、リフレクタ１６は、液晶プロジェクタ２０からの投影光を反射するための反射板１６ａと、主基板２００を設置するための設置板１６ｂとからなり、反射板１６ａと設置板１６ｂとの間にギャップ１６ｃを設けて反射板１６ａおよび設置板１６ｂを一体に結合することにより構成されている。そして、主基板２００は、設置板１６ｂのうち反射板１６ａと対向する面とは反対の面（以下、単に設置板１６ｂの裏面という。）に設置されている。主基板２００の設置は、主基板２００と設置板１６ｂとをネジ８でネジ止めすることにより行う。なお、設置板１６ｂの裏面には、主基板２００のほか、図柄表示基板等のサブ基板および電源ユニットも設置されている。
【００２０】
スクリーン１０は、液晶プロジェクタ２０の投影光を裏面側に受けて、パチンコ遊技画面を前面側に映し出すべく投影光を前面側に透過させるものである。
主基板２００は、マイクロプロセッシングユニットＭＰＵ等からなり、遊技球の入賞等を検出して遊技状態を制御し、制御内容に基づいて液晶プロジェクタ２０に制御信号を送信し、パチンコ遊技画面を生成して液晶プロジェクタ２０によりその投影光を照射するようになっている。遊技制御処理の一例として、遊技盤面１４に発射された遊技球が始動入賞口（後述）に入賞したときは、図柄表示画面をパチンコ遊技画面の一部として表示して図柄表示画面で図柄を変動表示するとともに、特賞状態を生起させるか否かの抽選を行い、抽選結果に基づいて変動図柄を所定の態様で停止させ特賞状態を生起させる。具体的には、図柄表示画面において３つの領域にそれぞれ図柄（例えば、「１」〜「９」）を独立に変動させながら表示し、抽選結果が特賞状態を生起するものであると判定したときは、図柄表示画面の３つの領域に表示されている変動図柄を所定の態様（例えば、「７７７」）で停止させた後に特賞状態を生起させる。
【００２１】
次に、遊技盤１４の構成を図３を参照しながら詳細に説明する。図３は、遊技盤１４の正面図である。
図３において、遊技盤面１４の左方には、発射装置により発射された遊技球を遊技盤面１４の上方に誘導するガイドレール３０が設けられており、遊技盤面１４のうち遊技球が通過可能な領域には、遊技盤面１４を通過する遊技球の進路を変更する遊技釘３２が複数設けられている。
【００２２】
また、遊技盤面１４のほぼ中央には、パチンコ遊技画面のうち図柄表示画面が表示される領域３４があり、領域３４の直上には、領域３４上を遊技球が通過するのを防止するための透明部材３６が領域３４の上方を覆うようにして設けられている。
また、領域３４の下方には、遊技球を常時入賞可能とする始動入賞口３８が設けられており、始動入賞口３８の下方には、通常時は閉鎖状態であるが特賞状態となったときは、所定パターンで開放状態となって遊技球を入賞可能とする大入賞口４０が設けられている。また、大入賞口４０内の中央部には、大入賞口４０が開放状態となったときに遊技球を入賞可能とするＶ入賞口（不図示）が設けられている。
【００２３】
そして、大入賞口４０の下方であって遊技盤面１４の最下方には、上記入賞口等のいずれにも入賞しなかった遊技球を回収するためのアウト口４２が設けられている。
次に、本実施の形態の動作を説明する。
まず、パチンコ機１に電源が投入されると、液晶プロジェクタ２０からの投影光がリフレクタ１６に照射される。リフレクタ１６に投影光が照射されると、その投影光がスクリーン１０の裏面に向けて反射する。そして、スクリーン１０の裏面に投影光が照射されると、照射された投影光がスクリーン１０を透過することにより投影画面がスクリーン１０に表示される。このとき、リフレクタ１６の面のうち液晶プロジェクタ２０からの投影光を反射する反射面とは反対の面に主基板２００が設置されているので、パチンコ機１の背面側から主基板２００をメンテナンスすることができ、主基板２００に対する不正行為も困難となる。また、反射板１６ａと設置板１６ｂとの間にギャップ１６ｃが設けられているので、反射板１６ａ、ギャップ１６ｃおよび設置板１６ｂにより液晶プロジェクタ２０の発熱がある程度遮られる。さらに、設置板１６ｂおよびギャップ１６ｃにより主基板２００の放熱が効果的に行われる。さらに、設置板１６ｂに対してネジ止めを行うので、反射板１６ａの反射面にネジ８の先端が突出し、ネジ８の先端が投影画面であるパチンコ遊技画面上で影として映し出されるのを防止することができる。
【００２４】
一方、パチンコ機１に電源が投入されると、主基板２００により、遊技制御処理が実行され、遊技可能な状態となる。遊技者は、貸し出しを受けた遊技球をパチンコ機１に装填し、発射ハンドル６を操作して遊技球を遊技盤面１４に発射することにより遊技を行うことができる。
遊技状態において、遊技盤面１４に発射された遊技球が始動入賞口３８に入賞すると、主基板２００により、図柄表示画面で図柄が変動表示するとともに、特賞状態を生起させるか否かの抽選が行われる。その結果、特賞状態を生起させると判定されると、図柄表示画面の３つの領域に表示されている変動図柄を所定の態様で停止させた後に特賞状態が生起する。特賞状態では、大入賞口４０が所定パターンで開放状態となって遊技球が入賞できるようになる。そして、大入賞口４０が所定時間開閉する動作時間を１ラウンドとし、１ラウンド中にＶ入賞口への入賞があることを条件に所定数のラウンドが継続される。
【００２５】
このようにして、本実施の形態では、パチンコ機１は、投影光を透過させることにより投影画面を表示可能なスクリーン１０と、パチンコ遊技画面を投影する液晶プロジェクタ２０と、液晶プロジェクタ２０からの投影光の光路上であってスクリーン１０の前面側に設けた透光性のフレネルレンズ１２と、液晶プロジェクタ２０からの投影光の光路上であってフレネルレンズ１２の前面側に設けた透光性の遊技盤１４と、液晶プロジェクタ２０からの投影光をスクリーン１０の裏面に向けて反射させるリフレクタ１６と、遊技制御を行う主基板２００とを備え、主基板２００を、リフレクタ１６の面のうち液晶プロジェクタ２０からの投影光を反射する反射面とは反対の面に設置するようにした。
【００２６】
これにより、パチンコ機１の背面側から主基板２００をメンテナンスすることができ、主基板２００に対する不正行為も困難となる。したがって、主基板２００のメンテナンスが比較的容易となり、主基板２００に対して不正行為が行われる可能性を低減することができる。
さらに、本実施の形態では、リフレクタ１６は、液晶プロジェクタ２０からの投影光を反射するための反射板１６ａと、主基板２００を設置するための設置板１６ｂとからなり、反射板１６ａと設置板１６ｂとの間にギャップ１６ｃを設けて反射板１６ａおよび設置板１６ｂを一体に結合するようにした。
【００２７】
これにより、反射板１６ａおよびギャップ１６ｃにより液晶プロジェクタ２０の発熱がある程度遮られる。また、設置板１６ｂおよびギャップ１６ｃにより主基板２００の放熱が効果的に行われる。さらに、設置板１６ｂに対してネジ止めを行うので、反射板１６ａの反射面にネジ８の先端が突出し、ネジ８の先端が投影画面であるパチンコ遊技画面上で影として映し出されるのを防止することができる。したがって、主基板２００に対する熱の影響を低減することができるとともに、パチンコ遊技画面の見栄えが損なわれる可能性を低減することができる。
【００２８】
さらに、本実施の形態では、主基板２００を設置板１６ｂの裏面に設置するようにした。
これにより、反射板１６ａ、ギャップ１６ｃおよび設置板１６ｂにより液晶プロジェクタ２０の発熱がさらに遮られる。また、主基板２００をギャップ１６ｃ内からではなく外側から設置することができる。したがって、主基板２００に対する熱の影響をさらに低減することができるとともに、主基板２００の設置が比較的容易となる。
【００２９】
上記実施の形態において、リフレクタ１６は、請求項１または２記載の反射手段に対応し、液晶プロジェクタ２０は、請求項１、２または４記載の投影手段に対応し、始動入賞口３８は、請求項４記載の特定入賞口に対応し、主基板２００は、請求項１ないし４記載の遊技制御基板に対応している。また、特賞状態は、請求項４記載の所定の遊技状態に対応している。
【００３０】
なお、上記実施の形態においては、液晶プロジェクタ２０からの投影光をスクリーン１０の裏面から照射することによりスクリーン１０にパチンコ遊技画面を投影するように構成したが、これに限らず、例えば、液晶プロジェクタ２０をパチンコ機１の上方（遊技者の真上等）に配置し、上方から斜め下方に位置するスクリーン１０に向けてリフレクタ１６を介して投影光を照射すればよい。このような前面照射型の構造であっても、リフレクタ１６の面のうち液晶プロジェクタ２０からの投影光を反射する反射面とは反対の面に主基板２００を設置することができる。
【００３１】
また、上記実施の形態においては、反射板１６ａ、設置板１６ｂおよび主基板２００をリフレクタ１６として設けたが、これに限らず、反射板１６ａ（反射板１６ａに代えて熱遮蔽性の高い材質のものでもよい。）、設置板１６ｂ（設置板１６ｂに代えて熱拡散性の高い材質のものでもよい。）および主基板２００を一体としたものをパチンコ機１内の他の箇所に設けてもよい。このとき、反射板１６ａのうち設置板１６ｂと対向する面とは反対の面を液晶プロジェクタ２０の方に向けてそれらを配置する。例えば、反射板１６ａ、設置板１６ｂおよび主基板２００を一体としたものを遊技台４内に配置すればよい。
【００３２】
このような配置構造であっても、上記実施の形態と同様に、主基板２００に対する熱の影響を低減することができる。
また、上記実施の形態においては、パチンコ機１に本発明を適用した場合について説明したが、これに限らず、本発明の趣旨を逸脱しない範囲で他のアミューズメントゲーム機にも適用可能である。もちろん、パチスロ機にも適用することができる。
【００３３】
【発明の効果】
以上説明したように、本発明に係る請求項１ないし４記載の投影型遊技機によれば、反射手段の面のうち投影手段からの投影光を反射する反射面とは反対の面に遊技制御基板が設置されているので、遊技機の背面側から遊技制御基板をメンテナンスすることができ、遊技制御基板に対する不正行為も困難となる。したがって、遊技制御基板のメンテナンスが比較的容易となり、遊技制御基板に対して不正行為が行われる可能性を低減することができるという効果が得られる。
【００３４】
さらに、本発明に係る請求項２または３記載の投影型遊技機によれば、反射板と設置板との間にギャップが設けられているので、反射板およびギャップにより投影手段の発熱がある程度遮られる。また、設置板およびギャップにより遊技制御基板の放熱が効果的に行われる。さらに、遊技制御基板を反射手段にネジ止め等する場合は、設置板に対してネジ止め等を行うので、反射板の反射面にネジの先端等が突出し、ネジの先端等が投影画面である遊技画面上で影として映し出されるのを防止することができる。したがって、遊技制御基板に対する熱の影響を低減することができるとともに、遊技画面の見栄えが損なわれる可能性を低減することができるという効果も得られる。
【００３５】
さらに、本発明に係る請求項３記載の投影型遊技機によれば、設置板のうち反射板と対向する面とは反対の面に遊技制御基板が設置されているので、反射板、ギャップおよび設置板により投影手段の発熱がさらに遮られる。また、遊技制御基板をギャップ内からではなく外側から設置することができる。したがって、遊技制御基板に対する熱の影響をさらに低減することができるとともに、遊技制御基板の設置が比較的容易となるという効果も得られる。
【図面の簡単な説明】
【図１】パチンコ機１の垂直方向の断面図である。
【図２】パチンコ機１の斜視図である。
【図３】遊技盤１４の正面図である。
【符号の説明】
１　　　　　　　　　　　　パチンコ機
２　　　　　　　　　　　　取付部材
３　　　　　　　　　　　　遊技筐体
４　　　　　　　　　　　　遊技台
５　　　　　　　　　　　　前面枠
６　　　　　　　　　　　　発射ハンドル
７　　　　　　　　　　　　台座
８　　　　　　　　　　　　ネジ
１０　　　　　　　　　　　スクリーン
１２　　　　　　　　　　　フレネルレンズ
１４　　　　　　　　　　　遊技盤
１６　　　　　　　　　　　リフレクタ
１６ａ　　　　　　　　　　反射板
１６ｂ　　　　　　　　　　設置板
１６ｃ　　　　　　　　　　ギャップ
２０　　　　　　　　　　　液晶プロジェクタ
２１　　　　　　　　　　　小型液晶パネル
２２　　　　　　　　　　　レンズ
３０　　　　　　　　　　　ガイドレール
３２　　　　　　　　　　　遊技釘
３４　　　　　　　　　　　領域
３６　　　　　　　　　　　取付部材
３８　　　　　　　　　　　始動入賞口
４０　　　　　　　　　　　大入賞口
４２　　　　　　　　　　　アウト口
２００　　　　　　　　　　主基板
【図１】
2004073500.tif 000003
【図２】
2004073500.tif 000004
【図３】
2004073500.tif 000005